(57)【要約】【課題】ターボ機械で使用するシーリング組立体（１５２）を提供する。【解決手段】本シーリング組立体は、その中に円周方向に形成された少なくとも１つのチャネル（１４２、１６３）を有する回転要素（１４０）と、少なくとも１つのチャネル内に配置された少なくとも１つのシーリング要素（１６４）とを含み、少なくとも１つのシーリング要素は、回転要素の周りで円周方向に延びかつ実質的蛇行通路を形成する。【選択図】      図２
2012067747.tif 000002
【特許請求の範囲】
【請求項１】
ターボ機械で使用するシーリング組立体（１５２）であって、
その中に円周方向に形成された少なくとも１つのチャネル（１４２、１６３）を有する回転要素（１４０）と、
前記少なくとも１つのチャネル内に配置された少なくとも１つのシーリング要素（１６４）と、を含み、
前記少なくとも１つのシーリング要素が、前記回転要素の周りで円周方向に延びかつ実質的蛇行通路を形成する、
シーリング組立体（１５２）。
【請求項２】
前記少なくとも１つのシーリング要素（１６４）が、該少なくとも１つのシーリング要素が前記少なくとも１つのチャネル（１４２、１６３）から半径方向に延びるように該チャネル内に配置される、請求項１記載のシーリング組立体（１５２）。
【請求項３】
前記少なくとも１つのシーリング要素（１６４）が、前記回転要素（１４０）と一体形に形成される、請求項１記載のシーリング組立体（１５２）。
【請求項４】
前記少なくとも１つのチャネル（１４２、１６３）が、その中に定められた中心線（２０３）を含み、
前記少なくとも１つのチャネルが、前記チャネル中心線から軸方向に延びる上流部分（２０４）及び該チャネル中心線から軸方向に延びる下流部分（２０６）を含み、
前記下流チャネル部分（２０６）が、前記チャネル中心線（２０３）に関して前記上流チャネル部分（２０４）とほぼ対称である、
請求項１記載のシーリング組立体（１５２）。
【請求項５】
前記少なくとも１つのシーリング要素（１６４）が、その上に定められかつ前記チャネル中心線（２０３）とほぼ一致した中心線（２０８）を含む、請求項４記載のシーリング組立体（１５２）。
【請求項６】
前記少なくとも１つのシーリング要素（１６４）が、前記シーリング要素中心線（２０８）から軸方向に延びる上流部分（２１０）及び該シーリング要素中心線から軸方向に延びる下流部分（２１２）を含み、
前記少なくとも１つのシーリング要素の上流部分の少なくとも一部分が、前記下流チャネル部分（２０６）の少なくとも一部分内に配置される、
請求項５記載のシーリング組立体（１５２）。
【請求項７】
前記少なくとも１つのシーリング要素（１６４）が、
前記チャネル中心線（２０３）から第１の方向に軸方向に延びる第１の部分（２１４）と、
前記チャネル中心線（２０３）から前記第１の方向とは異なる第２の方向に軸方向に延びる第２の部分（２１６）と、をさらに含む、
請求項６記載のシーリング組立体（１５２）。
【請求項８】
前記少なくとも１つのシーリング要素（１６４）が、実質的正弦波形状を有する、請求項１記載のシーリング組立体（１５２）。
【請求項９】
ターボ機械であって、
その中に円周方向に形成された少なくとも１つのチャネル（１４２、１６３）を有する回転要素（１４０）と、
前記回転要素を実質的に囲みかつ該回転要素と共にそれらの間に空洞（１６２）を少なくとも部分的に形成した静止要素（１５５）と、
前記少なくとも１つのチャネル内に配置され、前記回転要素の周りで円周方向に延びかつ実質的蛇行通路を形成した少なくとも１つのシーリング要素（１６４）と、を含む、
ターボ機械。
【請求項１０】
前記少なくとも１つのチャネル（１４２、１６３）が、その中に定められた中心線を含み、
前記少なくとも１つのチャネルが、前記チャネル中心線（２０３）から軸方向に延びる上流部分（２０４）及び該チャネル中心線２０３）から軸方向に延びる下流部分（２０６）を含み、
前記下流チャネル部分（２０６）が、前記チャネル中心線に関して前記上流チャネル部分とほぼ対称であり、
前記少なくとも１つのシーリング要素が、その上に定められかつ前記チャネル中心線とほぼ一致した中心線を含む、
請求項９記載のターボ機械。
【発明の詳細な説明】
【技術分野】
【０００１】
本発明は、総括的にはターボ機械に関し、より具体的には、ターボ機械で使用するシーリング組立体に関する。
【背景技術】
【０００２】
公知のターボ機械は、形成（ｄｅｆｉｎｅｄ）流路を含む。例えば、少なくとも幾つかの公知の蒸気タービンエンジンは、それを貫通して延びる形成蒸気通路を含む。蒸気漏洩は、蒸気通路内に向けて又は該蒸気通路からのいずれかとして発生する可能性があり、またより高い圧力の領域からより低い圧力の領域へと発生する可能性がある。そのような漏洩は、タービンの運転上の信頼性に悪影響を与えるおそれがある。例えば、タービンにおいて該タービンの回転ロータシャフトと周囲のタービンケーシングとの間で発生する蒸気通路漏洩は、タービンの全体効率を低下させる可能性がある。同様に、シェルと隣接タービン間で延びるケーシングの部分との間における蒸気通路漏洩もまた、蒸気タービンの全体効率を低下させる可能性がある。時間の経過と共に、蒸気タービンの運転効率の低下により、燃料コストの増加が生じるおそれがある。
【０００３】
流路漏洩の量を減少させるために、少なくとも幾つかの公知のターボ機械では、シール及び流れ抑制器のような流れ制止装置が使用されている。そのような流れ制止装置は一般的に、それを通って流れが漏洩する可能性がある領域の全体寸法を減少させ、従って漏洩の量を減少させる。例えば、回転及び静止部品との間の空洞空間内でナイフエッジシールを使用して流れ漏洩を最少にすることができる。公知のナイフエッジシールは、台形又は矩形のような簡単な二次元形状で形成される。そのようなナイフエッジシールは、回転軸線に沿ったほぼ平面として延びる。流れ漏洩を減少させるために、シール歯の頂部と対向表面との間における間隙を大幅に減少させている。しかしながら、公知のターボ機械内では、流れが大きな接線速度を有するので、流れは、該流れが下流の間隙領域に向けて移動する時に表面又は壁に沿って「スキッド（横滑り）する」可能性がる。そのような「スキッド」により、公知のナイフエッジシールの有効性が阻害されて、これらの領域における流れ漏洩を大幅に減少させることができない。
【先行技術文献】
【特許文献】
【０００４】
【特許文献１】米国特許第７４３５０４９号明細書
【発明の概要】
【課題を解決するための手段】
【０００５】
１つの実施形態では、ターボ機械で使用するシーリング組立体を組立てる方法を提供する。本方法は、ターボ機械の回転要素内に形成された少なくとも１つのチャネル内に、その中に形成された実質的蛇行流路を備えた少なくとも１つのシーリング要素を配置するステップを含む。シーリング要素は、該シ−リング要素が回転要素及び静止要素間に形成された空洞内に延びるように該回転要素の周りで円周方向に延ばされる。これにより、空洞の上流領域から該空洞の下流領域への流れ漏洩を大幅に減少させることができる。
【０００６】
別の実施形態では、ターボ機械で使用するシーリング組立体を提供する。本シーリング組立体は、その中に形成された実質的蛇行流路を備えた少なくとも１つのシーリング要素を含む。シーリング要素は、ターボ機械の回転要素内に形成された少なくとも１つのチャネル内に配置されるような寸法及び形状にされる。さらに、シーリング要素は、該シーリング要素が回転要素及び静止要素間に形成された空洞内に延びるように該回転要素を実質的に囲む。これにより、空洞の上流領域から該空洞の下流領域への流れ漏洩を大幅に減少させることができる。
【０００７】
さらに別の実施形態では、ターボ機械を提供する。本ターボ機械は、その中に円周方向に形成された少なくとも１つのチャネルを有する回転要素を含む。本ターボ機械は、回転要素を少なくとも部分的に囲み、該回転要素と共にそれらの間に空洞を少なくとも部分的に形成する静止要素を含む。さらに、その中に形成された実質的蛇行流路を備えた少なくとも１つのシーリング要素が含まれる。シーリング要素は、チャネル内に配置されるような寸法及び形状にされる。さらに、シーリング要素は、回転要素を実質的に囲んで、空洞の上流領域から該空洞の下流領域への流れ漏洩を大幅に減少させることができる。
【図面の簡単な説明】
【０００８】
【図１】公知の例示的な対向流蒸気タービンエンジンの概略断面図。
【図２】図１に示すタービンエンジンで使用することができる例示的な高圧（ＨＰ）セクションの一部分の概略断面図。
【図３】図２に示しかつ線３−３に沿って取ったＨＰセクションで使用することができるシーリング組立体の一部分の部分分解斜視図。
【図４】図２に示すシーリング組立体を組立てる例示的な方法を示すフローチャート。
【発明を実施するための形態】
【０００９】
本明細書で説明する例示的な方法、装置及びシステムは、ターボ機械それ自体及び／又はその関連するハードウェア部品内における流体漏洩が存在する状態で作動している可能性がある公知のターボ機械と関連する欠点を克服する。本明細書で説明する実施形態は、ターボ機械内における流体漏洩を大幅に減少させ、それにより次にタービン性能を向上させる、ターボ機械で使用するシーリング組立体を提供する。より具体的には、本明細書で説明するシーリング組立体は、その中に形成された実質的蛇行流路を備えた少なくとも１つのシーリング要素を含み、かつ該シーリング要素は、ガスタービンエンジンの圧縮機において見られる回転要素のようなターボ機械の回転要素上に又は蒸気タービンエンジンのロータシャフト上に設置される。
【００１０】
図１は、高圧（ＨＰ）セクション１０２及び中圧（ＩＰ）セクション１０４を備えた例示的な対向流蒸気タービンエンジン１００の概略断面図を示している。図１は、例示的な蒸気タービンエンジンを描いているが、本明細書で説明するシーリング組立体及び方法は、いずれか１つの特定のタービンエンジンに限定されるものではないことに注目されたい。本発明がそのような装置及び方法を可能にするあらゆる好適な構成のあらゆるターボ機械で使用することができることは、当業者には分かる筈である。
【００１１】
この例示的な実施形態では、ＨＰシェル又はケーシング１０６は、軸方向にそれぞれ上半部及び下半部セクション１０８及び１１０に分割される。同様に、ＩＰシェル１１２は、軸方向にそれぞれ上半部及び下半部セクション１１４及び１１６に分割される。この例示的な実施形態では、シェル１０６及び１０８は、内側ケーシングである。それに代えて、シェル１０６及び１０８は、外側ケーシングとすることができる。ＨＰセクション１０２及びＩＰセクション１０４間に配置された中央セクション１１８は、高圧蒸気入口１２０及び中圧蒸気入口１２２を含む。ケーシング１０６及び１１２内において、ＨＰセクション１０２及びＩＰセクション１０４はそれぞれ、ジャーナル軸受１２６及び１２８によって支持された単一の軸受スパンで配置される。蒸気シール組立体１３０及び１３２が、それぞれ各ジャーナル軸受１２６及び１２８の内側寄りに結合される。
【００１２】
環状セクション分割器１３４が、中央セクション１１８から回転要素１４０に向けて半径方向内向きに延びる。この例示的な実施形態では、回転要素１４０は、ロータシャフトである。回転要素１４０は、ＨＰセクション１０２及びＩＰセクション１０４間で延びる。より具体的には、分割器１３４は、第１のＨＰセクション入口ノズル１３６及び第１のＩＰセクション入口ノズル１３８間において回転要素１４０の一部分を囲む。分割器１３４は、パッキンケーシング１４４内に形成されたチャネル１４２内に少なくとも部分的に挿入される。より具体的には、この例示的な実施形態では、チャネル１４２は、該チャネル１４２の中心開口部（図１には図示せず）が半径方向外向きに面するように、パッキンケーシング１４４内に半径方向にかつ該パッキンケーシング１４４の外周部の周りに延びるＣ字形状チャネル１４２である。
【００１３】
運転時に、高圧蒸気入口１２０は、発電ボイラ（図１には図示せず）のような蒸気発生源から高圧かつ高温蒸気を受ける。蒸気は、入口ノズル１３６からＨＰセクション１０２を通して送られ、蒸気による仕事が要素１４０の回転を生じさせる。この例示的な実施形態では、蒸気は、回転要素１４０に結合された複数のタービンブレード又はバケット（図１には図示せず）に衝突する。この例示的な実施形態では、各組のバケットは、蒸気を関連するバケットに導くことができるシーリング組立体（図１には図示せず）の近くに設置される。蒸気は、ＨＰセクション１０２から流出しかつそれが再加熱されるボイラに戻される。再加熱蒸気は次に、ＩＰ蒸気入口１２２に送られ、かつＨＰセクション１０２に流入する蒸気よりも低い圧力であるが、該ＨＰセクション１０２に流入する蒸気の温度にほぼ等しい温度でＩＰセクション１０４に戻される。ＨＰセクション１０２において使用されたのとほぼ同様な方法で、ＩＰセクション１０４内の蒸気から仕事が取出される。従って、ＨＰセクション１０２内における作動圧力は、ＩＰセクション１０４内における作動圧力よりもより高くて、該ＨＰセクション１０２内における蒸気が該ＨＰセクション１０２及びＩＰセクション１０４間に形成された漏洩通路を通ってＩＰセクション１０４に向けて流れる傾向になる。１つのそのような漏洩通路は、回転要素１４０に沿ってパッキンケーシング１４４を軸方向に貫通した状態で形成することができる。
【００１４】
この例示的な実施形態では、蒸気タービン１００は、対向流ＨＰ及びＩＰ蒸気タービンエンジンである。それに代えて、蒸気タービン１００は、それに限定されないが、低圧タービンを含むあらゆるその他のタービンで使用することができる。加えて、本発明は、対向流蒸気タービンで使用することに限定されるものではなく、むしろ、それに限定されないが、単流及び複流蒸気タービンエンジンを含むあらゆる蒸気タービン構成で使用することができる。さらに、上述のように、本発明は、蒸気タービンエンジンで使用することのみに限定されるものではなく、ガスタービンエンジンのようなその他のタービンシステムで使用することもできる。
【００１５】
図２は、蒸気タービンエンジン１００（図１に示す）で使用することができる例示的なＨＰセクション１４３の一部分の概略断面図である。この例示的な実施形態では、ＨＰセクション１４３は、上半部ケーシング（図２には図示せず）を含み、上半部ケーシングは、セクション１０２が完全に組立てられた時に下半部ケーシング（図２には図示せず）にボルト止めされる。ノズルキャリア上半部１５０は、該ノズルキャリア上半部１５０がケーシングの半径方向内向き延長部として機能するように、上半部ケーシングと係合する。ＨＰセクション１４３はまた、回転要素１４０、シーリング組立体１５２、環状グルーブ１５３、及び静止要素１５５を含む。ノズルキャリア上半部１５０は、ノズル１３８（図１に示す）に対する支持並びにグルーブ１５３を介しての静止要素に対する支持を与える。ノズルキャリア下半部（図２には図示せず）は、下半部ケーシングに結合されかつノズルキャリア上半部１５０と同じ方法でノズル１３８及び回転要素１４０を受ける。ＨＰセクション１４３はまた、回転要素１４０に固定結合された回転タービンブレード又はバケット組立体（図２には図示せず）を含む。
【００１６】
この例示的な実施形態では、回転要素１４０は、その中に円周方向に形成された少なくとも１つのチャネル１６３を有する。回転要素１４０はまた、表面１６６を含む。この例示的な実施形態では、回転要素１４０は、その中に円周方向に形成された４つのチャネルを含む。それに代えて、回転要素１４０は、該回転要素１４０が本明細書で説明するように機能することができる任意の数のチャネル１６３を含むことができる。
【００１７】
静止要素１５５は、半径方向外側部分１５６、ノズル部分１５８及び半径方向内側部分１６０を有する。静止要素１５５は、回転要素１４０を少なくとも部分的に囲んで、該静止要素１５５及び回転要素１４０がそれらの間に空洞１６２を少なくとも部分的に形成する。
【００１８】
シーリング組立体１５２は、回転要素１４０を実質的に囲む少なくとも１つのシーリング要素１６４を含む。さらに、シーリング要素１６４は、チャネル１６４内に少なくとも部分的に挿入される。それに代えて、シーリング要素１６４は、該シーリング要素１６４がチャネル１６４内に一体形に形成されるように、回転要素１４０と一体形に形成することができる。この例示的な実施形態では、シーリング要素１６４は、該シーリング要素１６４がチャネル１６３から空洞１６２内に距離１６７だけ外向きに延びるようにチャネル１６３内に配置されるような寸法及び形状にされる。さらに、この例示的な実施形態では、各シーリング要素１６４には、その中に形成された実質的蛇行流路を備える。
【００１９】
この例示的な実施形態では、シーリング組立体１５２は、その各々が個別のチャネル１６３内に少なくとも部分的に挿入された４つのシーリング要素１６４を含む。それに代えて、シーリング組立体１５２は、該シーリング組立体１５２が本明細書で説明するように機能することができる任意の数のシーリング要素１６４を含むことができる。
【００２０】
運転時に、蒸気は、ＨＰセクション蒸気入口１２０（図１に示す）を介してセクション１４３に流入しかつ矢印１８０で示すようにセクション１０２を通して送られる。入口ノズル１３６（図１に示す）及び関連するバケット組立体（図２には図示せず）は、エンジン１００の第１の段を形成する。入口ノズル１３６及びノズル１５８は、バケット組立体に向けて蒸気を送ることができる。より具体的には、蒸気は、関連する矢印１７６で示すように、ノズル部分１５８を横切って上流領域１７７から下流領域１７９に流れる。蒸気はまた、関連する矢印１８０で示すように、空洞１６２を横切って該キャブティ１６２の上流領域１９０から該キャブティ１６２の下流領域１９２に流れる。
【００２１】
蒸気流れが、空洞１６２を通して送られると、その流れはシーリング要素１６４と接触する。シーリング要素１６４は、その中に形成された実質的蛇行流路を備え、この蛇行流路が、空洞１６２を通る流れを緩和することができる。より具体的には、シーリング要素１６４は、表面１６６に沿って「スキッドする」流れの能力を崩壊させ、それにより、空洞１６２の上流領域１９０から該空洞１６２の下流領域１９２への流れ漏洩を大幅に減少させる。その時蒸気流れは、ノズル部分１５８を横切るように迂回する。
【００２２】
図３は、線３−３（図２に示す）に沿って取ったシーリング組立体１５２の一部分の部分分解斜視図を示している。シーリング要素１６４は、チャネル１６３内に配置される。より具体的には、この例示的な実施形態では、３つのシーリング要素１６４は、その各々が個別のチャネル１６３内に配置されている。さらに、この例示的な実施形態では、１つのシーリング要素１９０は、シーリング要素１６４を本明細書で説明することができるように、チャネル１６３から距離を置いた状態で示している。
【００２３】
各チャネル１６３は、それを貫通して延びる中心線２０３又は対称軸線を有する状態で形成される。さらに、各チャネル１６３は、その各々が中心線から距離２０７ほど軸方向に延びる上流部分２０４及び下流部分２０６を有する状態で形成される。上流チャネル部分２０４及び下流チャネル部分２０６は各々、中心線２０３から軸方向に延びる。この例示的な実施形態では、下流チャネル部分２０６は、中心線２０３に関して上流チャネル部分２０４とほぼ対称に整列している。
【００２４】
シーリング要素１６４は、その上に形成された中心線２０８又は対称軸線を有する。中心線２０８は、チャネル中心線２０３とほぼ同一直線上にある。より具体的には、各シーリング要素１６４は、チャネル１６３内にほぼその中心に配置される。
【００２５】
さらに、この例示的な実施形態では、シーリング要素１６４は、その各々がチャネル中心線２０３から軸方向に延びる上流部分２１０及び下流部分２１２を有する状態で形成されて、該下流部分２１２が、中心線２０３に関して上流部分２１０と実質的に整列する。それに代えて、下流部分２１２及び／又は上流部分２１０は、斜めに整列させることができかつ／或いは中心線２０３に関してほぼ対称でないようにすることができる。
【００２６】
この例示的な実施形態では、各シーリング要素１６４は、実質的３次元形状及びその中に形成された実質的蛇行流路を有する。さらに、各シーリング要素１６４は、チャネル中心線２０３から第１の方向に距離２１５ほど軸方向に延びる第１の部分２１４及び該チャネル中心線２０３から第１の方向とは異なる第２の方向に距離２１７ほど軸方向に延びる第２の部分２１６を含む。例えば、図３に示すように、第２の部分２１６は、シーリング要素１６４が実質的正弦波形状で形成されるように、第１の部分２１４とは反対方向に延びる。
【００２７】
図４は、シーリング組立体１５２（図２及び図３に示す）のようなシーリン組立体を組立てる例示的な方法３００を示すフローチャートである。本方法３００は、回転要素１４０（図１、図２及び図３に示す）内に形成された少なくとも１つのチャネル１６３（図２及び図３に示す）内に、その中に形成された実質的蛇行流路を備えた少なくとも１つのシーリング要素１６４（図２及び図３に示す）を配置するステップ３０２を含む。
【００２８】
シーリング要素１６４は、該シーリング要素１６４が回転要素１４０及び静止要素１５５（図２に示す）間に形成された空洞１６２（図２に示す）内に延びて、空洞１６２の上流領域１９０（図２に示す）から該空洞１６２の下流領域１９２（図２に示す）への流れ漏洩を大幅に減少させることができるように、該回転要素１４０の周りに延ばされる３０４。
【００２９】
シーリング要素１６４は、該シーリング要素１６４がチャネル１６３から半径方向外向きに延びるように、該チャネル１６３内に少なくとも部分的に挿入される３０６。それに代えて、シーリング要素１６４は、回転要素１４０と一体形に形成する３０８ことができる。
【００３０】
さらに、シーリング要素１６４がチャネル１６３内に配置される３０２と、シーリング要素１６４は、該シーリング要素１６４がチャネル１６３内にほぼその中心に位置するように配置される３１０。
【００３１】
さらに、シーリング要素１６４の上流部分２１０（図３に示す）及び該シーリング要素１６４の下流部分２１２（図３に示す）は各々、チャネル１６３の中心線２０３（図３に示す）から軸方向に延びるように配置される３１２。さらに、シーリング要素１６４の第１の部分２１４（図３に示す）がチャネル中心線２０３から第１の方向に軸方向に延ばされまたシーリング要素１６４の第２の部分２１６（図３に示す）がチャネル中心線２０３から第１の部分２１４とは反対方向に軸方向に延ばされる３１４。さらに、少なくとも１つのシーリング要素１６４がチャネル１６３内に配置される３０２と、実質的正弦波形状を有する少なくとも１つのシーリング要素１６４は、チャネル１６３内に配置される３１６。
【００３２】
本明細書で説明したシーリング組立体のための方法及び装置により、ターボ機械の運転を高めることができ、現在使用されている公知のシール及び流れ抑制器と比較してよりロバストなターボ機械シール構成が得られる。より具体的には、上述した実施形態により、ターボ機械内における流体漏洩を大幅に減少させる、ターボ機械で使用するシーリング組立体が得られる。シーリング組立体は、ターボ機械の回転要素上に設置されたシーリング要素を利用する。このシーリング要素は、実質的３次元形状を有しかつ実質的蛇行流路を形成する。シーリング要素は、回転要素の表面に沿ってスキッドする流れの能力を崩壊させ、それにより次に、流れ漏洩を大幅に減少させる。そのようなシール構成により、ターボ機械における効率、信頼性、及び保守整備コストの低減が可能になる。
【００３３】
以上、ターボ機械と関連するシーリング組立体の例示的な実施形態を詳細に説明している。本方法、装置及びシステムは、本明細書で説明した特定の実施形態にもまた特定の図示したシーリング組立体にも限定されるものではない。様々な特定の実施形態に関して本発明を説明してきたが、本発明が、特許請求の範囲の技術思想及び技術的範囲内の修正で実施することができることは当業者には分かるであろう。
【００３４】
本発明の様々な実施形態の特定の特徴を幾つかの図面に示しまたその他の図面には示していない場合があるが、それは単なる便宜上のためである。さらに、上記の説明における「１つの実施形態」という表現は、記載した特徴を同様に組入れている付加的な実施形態の存在を除外するものとして解釈することを意図するものではない。本発明の原理に従い、ある図面のあらゆる特徴は、あらゆるその他の図面の任意の特徴と組合せて記載しかつ／又は特許請求することができる。
【００３５】
本明細書は最良の形態を含む実施例を使用して、本発明を開示し、また当業者が、あらゆる装置又はシステムを製作しかつ使用しまたあらゆる組込み方法を実行することを含む本発明の実施を行なうことを可能にもする。本発明の特許性がある技術的範囲は、特許請求の範囲により定めており、また当業者が想到するその他の実施例を含むことができる。そのようなその他の実施例は、それらが特許請求の範囲の文言と相違しない構造的要素を有するか又はそれらが特許請求の範囲の文言と本質的でない相違を有する均等な構造的要素を含む場合には、特許請求の範囲の技術的範囲内に属することを意図している。
【符号の説明】
【００３６】
１００  蒸気タービンエンジン
１０２  高圧（ＨＰ）セクション
１０４  中圧（ＩＰ）セクション
１０６  ＨＰシェル又はケーシング
１０８  下半部セクション
１１０  半部セクション
１１２  ＩＰシェル
１１４  下半部セクション
１１６  半部セクション
１１８  中央セクション
１２０  ＨＰセクション蒸気入口
１２２  中圧蒸気入口
１２６  ジャーナル軸受
１２８  ジャーナル軸受
１３０  蒸気シール装置
１３２  シール装置
１３４  分割器
１３６  入口ノズル
１３８  ＩＰセクション入口ノズル
１４０  回転要素
１４２  チャネル
１４４  パッキンケーシング
１５０  ノズルキャリア上半部
１５２  シーリング組立体
１５３  複数の環状グルーブ
１５４  バケット組立体
１５５  静止要素
１５６  外側部分
１５７  環状突出部
１５８  ノズル部分
１６０  内側部分
１６２  空洞
１６３  チャネル
１６４  シ−リング要素
１６６  表面
２００  上流領域
２０２  下流領域
２０３  中心線
２０４  上流チャネル部分
２０６  下流チャネル部分
２０８  中心線
２１０  上流部分
２１２  下流部分
２１４  第１の部分
２１６  第２の部分
３００  方法
３０２  その中に形成された実質的蛇行流路を備えた少なくとも１つのシーリング要素が、回転要素内に形成された少なくとも１つのチャネル内に配置される
３０４  シーリング要素が回転要素及び静止要素間に形成された空洞内に延びて、空洞の上流領域から該空の下流領域への流れ漏洩を大幅に減少させることができるように、回転要素１４０の周りに該シーリング要素を延ばす
３０６  シーリング要素は、該シーリング要素がチャネルから半径方向外向きに延びるように、該チャネル内に少なくとも部分的に挿入される
３０８  シーリング要素は、回転要素と一体形に形成される
３１０  シーリング要素は、チャネル内にほぼその中心に配置される
３１２  シーリング要素の上流部分及び該シーリング要素の下流部分は各々、チャネルの中心線から軸方向に延びるように配置される
３１４  シーリング要素の第１の部分がチャネル中心線から第１の方向に軸方向に延ばされまたシーリング要素の第２の部分がチャネル中心線から第１の部分とは反対方向に軸方向に延ばされる
【図１】
2012067747.tif 000003
【図２】
2012067747.tif 000004
【図３】
2012067747.tif 000005
【図４】
2012067747.tif 000006